(57)【要約】      （修正有）【課題】正イオンの放出を抑制するイオン発生装置および電気機器を提供する。【解決手段】送風装置５により吸い込まれた空気が、ダクト１１内に取り付けられたイオン発生装置１０で発生したイオンとともに第１吹出口２と第２吹出口４とから放出される空気清浄機１において、当該イオン発生装置１０は正イオン発生部１３と負イオン発生部１４を備え、さらに当該負イオン発生部１４を通過した正イオンを捕捉する捕捉部２４とを備える。【選択図】図２
2014007009.tif 000002
【特許請求の範囲】
【請求項１】
正イオンを発生する正イオン発生部と、
負イオンと、前記正イオン発生部から流通する前記正イオンを中性原子にするための電子とを発生する負イオン発生部と、
前記負イオン発生部を通過した前記正イオンを捕捉する捕捉部とを含む、イオン発生装置。
【請求項２】
前記捕捉部は、負電圧が印加される電極を含む、請求項１に記載のイオン発生装置。
【請求項３】
前記捕捉部は、メッシュ状の部分を含む、請求項１に記載のイオン発生装置。
【請求項４】
前記捕捉部は、前記負イオン発生部を通過した前記正イオンが流通する通路の断面の一部の領域を覆うように設けられる、請求項３に記載のイオン発生装置。
【請求項５】
前記捕捉部は、前記負イオン発生部を通過した前記正イオンが流通する通路の断面を覆うように設けられる、請求項３に記載のイオン発生装置。
【請求項６】
前記捕捉部は、棒状の部分を含む、請求項１に記載のイオン発生装置。
【請求項７】
前記捕捉部は、前記正イオン発生部との間に前記負イオン発生部が介在する位置に設けられる、請求項１に記載のイオン発生装置。
【請求項８】
請求項１〜７のいずれかに記載のイオン発生装置と、
前記正イオン発生部から前記負イオン発生部に向かう空気の流れを発生させる送風装置とを備えた電気機器。
【請求項９】
正イオンを発生する正イオン発生部と、負イオンと、前記正イオン発生部から流通する前記正イオンを中性原子にするための電子とを発生する負イオン発生部とを含むイオン発生装置と、
前記正イオン発生部から前記負イオン発生部に向かう空気の流れを発生させる送風装置と、
前記イオン発生装置よりも前記空気の流れの下流側に設けられ、前記負イオン発生部を通過した前記正イオンを捕捉する捕捉部とを備えた電気機器。
【発明の詳細な説明】
【技術分野】
【０００１】
本発明は、正イオンと、負イオンと、正イオンを中性原子にする電子とを発生するイオン発生装置に関する。
【背景技術】
【０００２】
特開２００６−３４９５７号公報（特許文献１）には、正イオンを発生する正イオン発生部と、負イオンと、正イオンを中性原子にする電子とを発生する負イオン発生部とを含むイオン発生装置が開示される。
【先行技術文献】
【特許文献】
【０００３】
【特許文献１】特開２００６−３４９５７号公報
【発明の概要】
【発明が解決しようとする課題】
【０００４】
ところで、イオン発生装置から中性原子と負イオンとを放出させる場合、負イオン発生部にて中性原子に変換されなかった正イオンが中性原子と負イオンとともに放出される場合がある。
【０００５】
本発明は、上述した課題を解決するためになされたものであって、その目的は、正イオンの放出を抑制するイオン発生装置およびイオン発生装置を備える電気機器を提供することである。
【課題を解決するための手段】
【０００６】
この発明のある局面に係るイオン発生装置は、正イオンを発生する正イオン発生部と、負イオンと、正イオン発生部から流通する正イオンを中性原子にするための電子とを発生する負イオン発生部と、負イオン発生部を通過した正イオンを捕捉する捕捉部とを含む。
【０００７】
好ましくは、捕捉部は、負電圧が印加される電極を含む。
さらに好ましくは、捕捉部は、メッシュ状の部分を含む。
【０００８】
さらに好ましくは、捕捉部は、負イオン発生部を通過した正イオンが流通する通路の断面の一部の領域を覆うように設けられる。
【０００９】
さらに好ましくは、捕捉部は、負イオン発生部を通過した正イオンが流通する通路の断面を覆うように設けられる。
【００１０】
さらに好ましくは、捕捉部は、棒状の部分を含む。
さらに好ましくは、捕捉部は、正イオン発生部との間に負イオン発生部が介在する位置に設けられる。
【００１１】
この発明の他の局面に係る電気機器は、上記イオン発生装置と、正イオン発生部から負イオン発生部に向かう空気の流れを発生させる送風装置とを備える。
【００１２】
この発明のさらに他の局面に係る電気機器は、正イオンを発生する正イオン発生部と、負イオンと、正イオン発生部から流通する正イオンを中性原子にするための電子とを発生する負イオン発生部とを含むイオン発生装置と、正イオン発生部から負イオン発生部に向かう空気の流れを発生させる送風装置と、イオン発生装置よりも空気の流れの下流側に設けられ、負イオン発生部を通過した正イオンを捕捉する捕捉部とを備える。
【発明の効果】
【００１３】
この発明によると、負イオン発生部を通過する正イオンを捕捉部によって捕捉することができる。そのため、イオン発生装置から中性原子と負イオンととともに正イオンが放出されることを抑制することができる。したがって、正イオンの放出を抑制するイオン発生装置およびイオン発生装置を備える電気機器を提供することができる。
【図面の簡単な説明】
【００１４】
【図１】本実施の形態に係るイオン発生装置を備える空気清浄機の外観を示す図である。
【図２】図１のＢ−Ｂ断面を示す図である。
【図３】本実施の形態に係るイオン発生装置の構成を示す図（その１）である。
【図４】本実施の形態に係るイオン発生装置の構成を示す図（その２）である。
【図５】本実施の形態に係るイオン発生装置の構成を示す図（その３）である。
【図６】本実施の形態に係るイオン発生装置の作用を説明するための図である。
【図７】捕捉部の構成の他の例を示す図（その１）である。
【図８】捕捉部の構成の他の例を示す図（その２）である。
【図９】捕捉部の構成の他の例を示す図（その３）である。
【図１０】捕捉部の構成の他の例を示す図（その４）である。
【発明を実施するための形態】
【００１５】
以下、図面を参照しつつ、本発明の実施の形態は説明される。以下の説明では、同一の部品には同一の符号が付されている。それらの名称および機能も同じである。したがってそれらについての詳細な説明は繰り返されない。
【００１６】
図１に、本実施の形態に係るイオン発生装置を備えた電気機器の一例である空気清浄機１の外観を示す。なお、本実施の形態に係るイオン発生装置は、空気清浄機１以外に、イオン発生機、エアコンディショナ（車両搭載用を含む）、換気装置、冷蔵庫、洗濯機、掃除機、乾燥機、加湿機、除湿機、ヘアドライヤー、セラミックファンヒータ、扇風機等の電気機器に備えられていてもよい。
【００１７】
図１に示すように、空気清浄機１には、正面からみて（図１の矢印Ａからみて）中央上部に第１吹出口２が設けられる。空気清浄機１の背面には、吸込口（図２参照）が設けられる。空気清浄機１の内部には、電力の供給を受けて作動する、送風装置とイオン発生装置（図２参照）とが設けられる。空気清浄機１の作動時においては、送風装置により吸込口から取り込まれた空気は、イオン発生装置において発生したイオンとともに、第１吹出口２から吹き出される。
【００１８】
図２に、図１の空気清浄機１のＢ−Ｂ断面を示す。図２に示すように、空気清浄機１は、筺体３と、送風装置５と、イオン発生装置１０と、ダクト１１とを含む。送風装置５と、イオン発生装置１０と、ダクト１１とは、筺体３の内部の所定の位置に設けられる。
【００１９】
空気清浄機１の筺体３の上面は、背面側に傾斜して形成される。筺体３の上面には、第２吹出口４が設けられる。筺体３の背面の中央よりも下側には、送風装置５を配置するための空間を確保するために他の面よりも背面側に突出した突出面が形成され、当該突出面に吸込口６が形成される。
【００２０】
吸込口６には、樹脂製の格子状のグリル７が設けられる。グリル７の内側には網目状の薄いフィルタ８が貼り付けられている。フィルタ８の奥（送風装置５側）には、送風装置５に異物や利用者の指が入り込まないようにファンガード９が設けられる。
【００２１】
送風装置５は、筺体３内の下側に設けられ、吸込口６から吸い込まれた空気をダクト１１の一方端に送る。送風装置５は、たとえば、クロスフローファンであるが、特にこれに限定されるものではない。
【００２２】
ダクト１１は、筺体３の内部に上下方向に沿って設けられる。ダクト１１の下端の開口部は、吸込口６に対向して設けられる。また、ダクト１１の下端の開口部には、送風装置５が設けられる。ダクト１１の上端は、第１吹出口２および第２吹出口４の各々に接続される。
【００２３】
イオン発生装置１０は、図２の破線枠に示すように、ダクト１１の上端と下端との間の中央部に設けられる。イオン発生装置１０は、直方形状のケース１２と、正イオン発生部１３と、負イオン発生部１４とを含む。正イオン発生部１３と、負イオン発生部１４とは、ケース１２の複数の面のうちのいずれか一つの面に設けられる。正イオン発生部１３と負イオン発生部１４とは、予め定められた距離だけ離隔するように設けられる。なお、ケース１２は、正イオン発生部１３と負イオン発生部１４との相対的な位置関係を規制できればよく、特に直方形状に限定されるものではない。
【００２４】
ダクト１１の中央部にはイオン発生装置１０を取り付けるための開口部が形成される。イオン発生装置１０は、ダクト１１の開口部を塞ぐように取り付けられる。このとき、ケース１２の、正イオン発生部１３および負イオン発生部１４が設けられる面がダクト１１の内壁面と一体になるようにイオン発生装置１０がダクト１１に取り付けられる。イオン発生装置１０がダクト１１に取り付けられた状態である場合には、正イオン発生部１３の位置は、負イオン発生部１４の位置よりもダクト１１の下端側（空気の流れの上流側）の位置になる。
【００２５】
図２の矢印に示すように、送風装置５が作動することによって吸込口６から吸い込まれた空気は、送風装置５を経由してダクト１１の下端に送られる。ダクト１１の下端に送られた空気は、ダクト１１内のイオン発生装置１０において発生したイオンとともにダクト１１の上端に向けて流通する。ダクト１１の上端に流通した空気とイオンとは、第１吹出口２から空気清浄機１の正面に向けて放出されるとともに、第２吹出口４から空気清浄機１の斜め後ろに向けて放出される。
【００２６】
イオン発生装置１０の正イオン発生部１３には、正電圧が印加された結果、沿面放電により空気中の水分が電離されてＨ＋（Ｈ２Ｏ）ｍ（ｍは任意の自然数）（以下、単に正イオンと記載する）が発生する。一方、負イオン発生部１４には、負電圧が印加された結果、放電により電子と、Ｏ２−（Ｈ２Ｏ）ｎ（ｎは零または任意の自然数）（以下の説明においては、単に負イオンと記載する）とが発生する。
【００２７】
送風装置５が作動する場合には、正イオン発生部１３において発生した正イオンは、負イオン発生部１４側に流通する。負イオン発生部１４側に流通する正イオンは、負イオン発生部１４において発生した電子と結びつくと水素原子（中性原子）になる。水素原子は、負イオン発生部１４において発生した負イオンとともに第１吹出口２または第２吹出口４から空気清浄機１の外部に放出される。
【００２８】
このような構成を有するイオン発生装置１０において、イオン発生装置１０から中性原子と負イオンとを放出させる場合、負イオン発生部１４にて中性原子に変換されなかった正イオンが中性原子と負イオンとともに放出される場合がある。
【００２９】
そこで、本実施の形態においては、図２の破線枠内に示すように、イオン発生装置１０が負イオン発生部１４を通過した正イオンを捕捉する捕捉部２４をさらに含む点を特徴とする。
【００３０】
以下に、イオン発生装置１０の正イオン発生部１３、負イオン発生部１４および捕捉部２４の構成についてさらに詳細に説明する。
【００３１】
図３に示すように、正イオン発生部１３は、第１誘電体１５と、第１誘電体の表面に形成される放電電極１６とを含む。第１誘電体１５は、板形状に形成されるセラミック等の絶縁体である。放電電極１６は、正電圧が印加されることによって正イオンを発生する電極である。放電電極１６は、たとえば、第１誘電体の上面に印刷される印刷電極であるが、特に印刷電極に限定されるものではない。放電電極１６は、尖鋭形状を有する複数の放電部位１７と、複数の放電部位１７間を接続する導電部位１８とを含む。本実施の形態において、複数の放電部位１７と導電部位１８とは、いずれも同一平面上に設けられるものとして説明するが、特に同一平面上に設けられることに限定されるものではない。
【００３２】
放電電極１６に正電圧が印加される場合には、複数の放電部位１７の尖鋭形状の先端において特に多くの正イオンが発生することとなる。
【００３３】
図３の矢印Ｃから視たイオン発生装置１０の構成を図４に示す。放電電極１６は、予め定められた形状になるように形成される。図４に示すように、本実施の形態においては、放電電極１６は、たとえば、全体として長方形の形状を有するように形成される。
【００３４】
具体的には、放電電極１６は、空気が流れる方向に沿って、平行に配置された同一長の３本の線分により形成される部分と、当該３本の線分の各々の左端部を結ぶ線分より形成される部分と、当該３本の線分の各々の右端部を結ぶ線分により形成される部分と、当該３本の線分のうちの中央の線分上で交差する２本の交差線により形成される部分とを含む。なお、放電電極１６の形状は、このような形状に特に限定されるものではない。
【００３５】
当該３本の線分の各々には、尖鋭形状を有する３個の放電部位１７が等間隔に設けられる。放電部位１７は、先端部が空気の流れの下流側に向けて設けられる。なお、放電部位１７の形状は、三角形状を有するものとして説明するが、先端部が空気の流れの下流側に向けて設けられる尖鋭形状を有していればよく、特に三角形状に限定されるものではない。また、放電部位１７の個数も特に限定されるものではない。なお、導電部位１８は、複数の放電部位１７以外の放電電極１６の部分をいう。
【００３６】
本実施の形態においては、負イオン発生部１４との間に導電部位１８が介在しない位置に設けられる放電部位は、図４の破線枠内の放電部位である。すなわち、負イオン発生部１４との間に導電部位１８が介在しない位置に設けられる放電部位は、空気が流れる方向に沿って配置された３本の線分のうちの最も下流側に配置された線分に対応する部分に設けられる３個の放電部位１７である。
【００３７】
図４の矢印Ｄから視たイオン発生装置１０を図５に示す。図５に示すように、正イオン発生部１３は、上述した第１誘電体１５および放電電極１６に加えて、第２誘電体１９と、誘導電極２０とをさらに含む。第２誘電体１９は、セラミック等の絶縁体を用いた第１誘電体１５と同サイズの板形状に形成される。誘導電極２０は、第１誘電体１５を挟んで放電電極１６と対向して配置される。誘導電極２０は、第２誘電体１９の上面に印刷される印刷電極である。したがって、正イオン発生部１３は、放電電極１６と、第１誘電体１５と、誘導電極２０と、第２誘電体１９とが積層されて形成される。なお、正イオン発生部１３は、放電電極１６の上面には、放電電極１６の酸化または摩耗を防止するコーティング層が形成されてもよい。
【００３８】
ケース１２には、正イオン発生部１３の形状に対応した長方形状の凹部が形成され、形成された凹部に正イオン発生部１３が配置される。放電電極１６に対して正電圧が印加されると沿面放電により放電部位１７において正イオンが発生する。正電圧は、たとえば、３．９ｋＶ〜４．３ｋＶであるが、特にこのような範囲の電圧に限定されるものではない。
【００３９】
図３および図４に示すように、負イオン発生部１４は、針状電極２１と、保護カバー２２とを含む。
【００４０】
針状電極２１は、正イオン発生部１３から予め定められた距離だけ離隔した位置に設けられる。本実施の形態において、針状電極２１は、正イオン発生部１３から予め定められた距離だけ離隔した位置に設けられるが、針状電極２１と正イオン発生部１３の距離によって、正イオン発生部１３から発生する正イオンが水素原子に変換する数が変わるため、正イオン発生部１３の大きさ、針状電極２１の高さなどに基づいて両者の距離を適合することが望ましい。
【００４１】
保護カバー２２は、空気清浄機１の製造時あるいは修理時等において作業者による針状電極２１への接触を抑制する。保護カバー２２は、たとえば、空気が流れる方向が開口した形状を有する。さらに、保護カバー２２は、針状電極２１の先端と対向する部分が開口した形状を有する。
【００４２】
図５に示すように、負イオン発生部１４は、針状電極２１に加えて対向電極２３をさらに含む。針状電極２１に負電圧（−Ｖ）が印加される場合には、放電により針状電極２１から電子が空気中に放出される。空気中に放出された電子は不安定なため、酸素分子に捕捉され、上述した負イオンが発生する。負電圧は、たとえば、−３．６ｋＶ〜−３．２ｋＶであるが、特にこのような範囲の電圧に限定されるものではない。
【００４３】
図３乃至図５に示すように、捕捉部２４は、正イオン発生部１３および負イオン発生部１４とともにケース１２に固定される。すなわち、ケース１２は、正イオン発生部１３、負イオン発生部１４および捕捉部２４の相対的な位置関係を固定する。捕捉部２４は、ケース１２の、正イオン発生部１３および負イオン発生部１４が設けられる面と同一の面に設けられる。捕捉部２４は、正イオン発生部１３との間に負イオン発生部１４が介在する位置に設けられる。
【００４４】
捕捉部２４は、負電圧（−Ｖ’）が印加される電極を含む。捕捉部２４の電極に印加される負電圧は、負イオン発生部１４に印加される電圧よりも低い電圧である。捕捉部２４の電極に印加される負電圧は、少なくとも正イオン発生部１３から流通する正イオンを捕捉できる電圧であれば特に限定されるものではなく、たとえば、−１．０ｋＶ程度である。捕捉部２４の電極には、イオン発生装置１０に電力が供給されたときに負電圧が印加される。
【００４５】
また、本実施の形態において、捕捉部２４は、外縁が矩形形状を有し、かつ、内側がメッシュ状になるように形成される。なお、捕捉部２４の外縁の形状は、特に矩形形状であることに限定されるものではない。たとえば、捕捉部２４の外縁の形状は、半円形状、半楕円形状、丸形状、多角形の形状等であってもよい。また、捕捉部２４は、負イオン発生部１４を通過した正イオンが流通するダクト１１の断面の一部の領域を覆うように設けらればよく、捕捉部２４の外縁の大きさやメッシュ状の部分の面積は、特に、図３に示す大きさに限定されるものではない。
【００４６】
以上のような構造に基づく本実施の形態に係るイオン発生装置１０の作用について図６を参照して説明する。
【００４７】
たとえば、利用者によって空気清浄機１を作動させるための操作が行なわれる場合を想定する。当該操作によって送風装置５およびイオン発生装置１０の各々に電力が供給され送風装置５およびイオン発生装置１０の作動が開始する。
【００４８】
そのため、イオン発生装置１０の正イオン発生部１３には、正電圧が印加されるため、放電部位１７において正イオンが発生する。負イオン発生部１４には、負電圧が印加されるため、針状電極２１において電子と負イオンとが発生する。
【００４９】
送風装置５の作動によりダクト１１内において下端から上端に向けて空気の流れが形成される。そのため、正イオン発生部１３において発生した正イオンは、空気が流れる方向に移動する（図６の白抜き矢印参照）。
【００５０】
正イオンが負イオン発生部１４を通過する場合においては、複数の正イオンのうちの一部の正イオンについては、上述したとおり、電子を受け取って中性原子に変換される。一方複数の正イオンのうちの他の正イオンについては、負イオン発生部１４にて中性原子に変換されずに負イオン発生部１４を通過する場合がある。
【００５１】
負イオン発生部１４を通過した正イオンは、反対の極性の電位を有する捕捉部２４によって吸引され、捕捉部２４に吸着する。その結果、負イオン発生部１４を通過した正イオンは、捕捉部２４によって捕捉されるため、イオン発生装置１０からは中性原子と負イオンが放出されることとなる。
【００５２】
以上のようにして、本実施の形態に係るイオン発生装置１０によると、捕捉部２４は、負電圧が印加される電極を含むため、負イオン発生部１４を通過した正イオンを捕捉部２４によって吸引、吸着させることができる。そのため、イオン発生装置１０から中性原子と負イオンととともに正イオンが放出されることを抑制することができる。したがって、正イオンの放出を抑制するイオン発生装置およびイオン発生装置を備える電気機器を提供することができる。
【００５３】
また、捕捉部２４がメッシュ形状の部分を含むように形成されることにより、より多くの正イオンを捕捉することができる。
【００５４】
本実施の形態においては、捕捉部２４がメッシュ状の部分を含むとして説明したが、特にこのような構成に限定されるものではない。たとえば、図７に示すように、捕捉部２６は、メッシュ状の部分に代えて棒状の部分を含むようしてもよい。なお、捕捉部２６は、メッシュ状の部分に代えて棒状の部分を含む点以外の特徴については、捕捉部２４と同じ特徴を有するものであるため、その詳細な説明は繰り返さない。
【００５５】
このようにしても負イオン発生部１４を通過した正イオンは、捕捉部２６によって吸引され、捕捉部２６に吸着する。これにより、イオン発生装置１０から中性原子と負イオンとともに正イオンが放出されることを抑制することができる。
【００５６】
さらに、本実施の形態においては、捕捉部２４がイオン発生装置１０に固定されるとして説明したが、特に固定位置は、イオン発生装置１０に限定されるものではない。たとえば、図８に示すように捕捉部２８は、ダクト１１のイオン発生装置１０よりも下流側の位置に固定されていてもよい。なお、捕捉部２８は、固定位置が異なる以外の特徴については、捕捉部２４と同じ特徴を有するものであるため、その詳細な説明は繰り返さない。
【００５７】
このようにしても負イオン発生部１４を通過した正イオンは、捕捉部２４によって吸引され、捕捉部２８に吸着する。これにより、イオン発生装置１０から中性原子と負イオンとともに正イオンが放出されることを抑制することができる。
【００５８】
さらに、本実施の形態においては、捕捉部２４がダクト１１の断面の一部の領域を覆うものとして説明したが、捕捉部２４の大きさは、特にこれに限定されるものではない。たとえば、図９に示すように捕捉部３０がダクト１１のイオン発生装置１０よりも下流側の位置に、ダクト１１の断面の全部を覆うように形成されてもよい。なお、捕捉部３０は、固定位置およびその大きさが異なる以外の特徴については、捕捉部２４と同じ特徴を有するものであるため、その詳細な説明は繰り返さない。なお、捕捉部３０は、イオン発生装置１０に固定されていてもよい。
【００５９】
このようにしても負イオン発生部１４を通過した正イオンは、捕捉部３０によって吸引され、捕捉部３０に吸着する。これにより、イオン発生装置１０から中性原子と負イオンとともに正イオンが放出されることを抑制することができる。
【００６０】
さらに本実施の形態においては、捕捉部２４が負イオン発生部１４よりも空気の流れの下流側に一つ設けられるものとして説明したが、捕捉部２４の個数は、特に１つに限定されるものではない。たとえば、図１０に示すように、第１捕捉部３２および第２捕捉部３４がダクト１１のイオン発生装置１０よりも下流側の位置に設けられてもよい。なお、第１捕捉部３２および第２捕捉部３４の各々は、固定位置が異なる以外の特徴については、捕捉部２４と同じ特徴を有するものであるため、その詳細な説明は繰り返さない。
【００６１】
図１０に示すように、第１捕捉部３２は、負イオン発生部１４の位置から内壁面に沿って下流側に移動した位置に設けられる。第２捕捉部３４は、ダクト１１の内壁面における第１捕捉部３２が設けられる位置に対向する内壁面の位置に設けられる。第１捕捉部３２および第２捕捉部３４の位置は、負イオン発生部１４よりも下流側の位置であればよく、特に図１０に示す位置に限定されるものではない。
【００６２】
第１捕捉部３２および第２捕捉部３４は、いずれもメッシュ状の部分を有していてもよい。あるいは、第１捕捉部３２および第２捕捉部３４は、いずれも棒状の部分を有していてもよい。あるいは、第１捕捉部３２および第２捕捉部３４のうちのいずれか一方がメッシュ状の部分を有し、他方が棒状の部分を有していてもよい。あるいは、第１捕捉部３２および第２捕捉部３４の他に別の捕捉部が設けられていてもよい。
【００６３】
なお、第１捕捉部３２および第２捕捉部３４は、イオン発生装置１０に固定されていてもよい。
【００６４】
このようにしても負イオン発生部１４を通過した正イオンは、第１捕捉部３２および第２捕捉部３４のうちのいずれか一方に吸引され、吸引された一方に吸着する。これにより、イオン発生装置１０から中性原子と負イオンとともに正イオンが放出されることを抑制することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  空気清浄機、２，４  吹出口、３  筺体、５  送風装置、６  吸込口、７  グリル、８  フィルタ、９  ファンガード、１０  イオン発生装置、１１  ダクト、１２  ケース、１３  正イオン発生部、１４  負イオン発生部、１５，１９  誘電体、１６  放電電極、１７  放電部位、１８  導電部位、２０  誘導電極、２１  針状電極、２２  保護カバー、２３  対向電極、２４，２８，３０，３２，３４  捕捉部。
【図１】
2014007009.tif 000003
【図２】
2014007009.tif 000004
【図３】
2014007009.tif 000005
【図４】
2014007009.tif 000006
【図５】
2014007009.tif 000007
【図６】
2014007009.tif 000008
【図７】
2014007009.tif 000009
【図８】
2014007009.tif 000010
【図９】
2014007009.tif 000011
【図１０】
2014007009.tif 000012